(57)【特許請求の範囲】
【請求項１】
複数ページの原稿情報を格納できる画像情報記憶部と、前記画像情報記憶部からの情報を記録媒体上に画像形成する画像形成プロセス手段と、設定部数の画像出力が完了した後も前記画像情報記憶部内の記憶情報を消去することなく、次の画像情報入力時には画像情報を先の記憶情報上にオーバーライトする制御手段とを有する画像出力装置において、
前記制御手段は、設定部数出力後は次の画像情報の記憶要求があるまで保持すると共に前記画像情報記憶部からの画像出力を禁止し、画像再出力モード設定がされた場合には、前記画像情報記憶部からの画像出力の禁止を解除して一旦出力した画像情報を再度出力することを可能とし、前記画像再出力モード設定が解除される迄、前記画像情報記憶部への新規画像情報の格納を禁止し、画像情報の再出力が完了したときは画像再出力モード設定を解除することを特徴とする画像出力装置。
【請求項２】
前記制御手段は、前記画像情報記憶部に画像情報を格納しない画像出力条件を可能とすることを特徴とする請求項１に記載の画像出力装置。
【請求項３】
前記制御手段は、前記画像再出力モードの設定がなされ、規定時間内に出力指示がされなかったとき、前記画像再出力モードを解除し、新規画像情報記憶を可能とすることを特徴とする請求項１又は請求項２に記載の画像出力装置。
【発明の詳細な説明】
【０００１】
【産業上の利用分野】
本発明は、記憶手段を有していてデジタル方式によって画像記憶を行う画像記録装置の画像出力装置に関するものである。
【０００２】
【従来の技術】
従来より画像出力装置の外部装置としてのプリントコントローラ等においては、画像情報をページ単位で格納可能な記憶手段を有していて、一旦画像情報をメモリに格納したのち画像出力する技術は一般的に知られている。しかしファックスやプリンタや複写機等の機能の複合化を目的とした近年の画像記録装置においては、画像記録装置内部に前記のページ単位の画像情報を格納可能としたシステムが増加しつつある。しかし従来のシステムにおいては記憶手段の制御は画像出力装置の高生産性や、使いやすさや、或いは画像記録装置の信頼性を向上させる目的には使用されておらず、その機能を充分に発揮するものではなかった。
【０００３】
【発明が解決しようとする課題】
本発明は、内部にページ単位の画像情報を記憶可能とした画像記録装置において、画像記録装置の出力モードの設定条件や外部装置との接続条件において、最適な記憶手段の制御を行うことで、画像記録装置の高生産性，高信頼性を確保し、制御システムの容易化を実現するようにした画像出力装置を提供することを目的とする。
【０００４】
【課題を解決するための手段】
上記目的は、（ａ）複数ページの原稿情報を格納できる画像情報記憶部と、前記画像情報記憶部からの情報を記録媒体上に画像形成する画像形成プロセス手段と、設定部数の画像出力が完了した後も前記画像情報記憶部内の記憶情報を消去することなく、次の画像情報入力時には画像情報を先の記憶情報上にオーバーライトする制御手段とを有する画像出力装置において、前記制御手段は、設定部数出力後は次の画像情報の記憶要求があるまで保持すると共に前記画像情報記憶部からの画像出力を禁止し、画像再出力モード設定がされた場合には、前記画像情報記憶部からの画像出力の禁止を解除して一旦出力した画像情報を再度出力することを可能とし、前記画像再出力モード設定が解除される迄、前記画像情報記憶部への新規画像情報の格納を禁止し、画像情報の再出力が完了したときは画像再出力モード設定を解除することを特徴とする画像出力装置により達成される。
【０００６】
本発明の画像出力装置の好ましい実施態様として、
（ｂ）前記画像再出力モード設定時は、前記設定が解除される迄、前記画像情報記憶部への新規画像情報記憶を阻止する手段を有していて、前記画像情報記憶部に画像情報を格納しない画像出力条件を可能とする。
【０００７】
（ｃ）前記画像再出力モード設定時は、前記設定が解除される迄、前記画像情報記憶部への新規画像情報記憶を阻止する手段を有していて、前記画像再出力モードは、規定時間内に出力指示がされなかったとき、自動的に前記モードを解除し、新規画像情報記憶を可能としている。
【０００９】
【作用】
本発明によれば、画像記憶手段に格納された画像情報を、次の画像記憶要求がある迄には少なくとも保持し、設定部数完了後に追加部数の出力が必要になった場合や、出力条件を変更して出力したい場合でも、再度記憶手段に画像情報を収納すること無く出力可能となり、生産性の低下や格納処理による原稿の再搬送トラブルによる信頼性の低下を防止することができ、再出力モードを設定することが可能となる。
【００１０】
また再出力モードが設定されていないときは、新規画像情報を記憶手段にオーバーライトし記憶手段のページ情報管理をアドレス等で制御することによって、前の画像情報を消去することなく、即座に記憶可能となる為、生産性が向上する。
【００１１】
さらに再出力モードが設定状態のままとなり、次の画像情報が入力不能となる状態を防止することが可能となり、コピーとプリンタ双方の機能を有し、遠隔操作を必要とする複合システムにおいては、記憶手段の制御として有効な手段を有した画像出力装置である。
【００１２】
【実施例】
図１は本発明に係わる画像出力装置である画像記録装置（複写機）の一例を示す全体構成図である。画像記録装置本体１０の上面には自動原稿給送部１１が位置している。自動原稿給送部１１は原稿の両面を反転し、プラテンガラス上に自動給送することを可能としている。１２は画像読み取り部で、ＣＣＤ等の受光素子によってプラテンガラス上の原稿の画像情報を読み取り、画像信号として出力する。１３は画像処理部で、画像読み取り部１２から出力する画像信号をレーザ記録に適した記録信号に変換・処理を行う。１４は記録信号によって発光するレーザ光学系で、予め一様帯電した回転する感光体ドラム１５ａ上に光走査を行い、潜像を形成する。感光体ドラム１５ａとのそ周縁部に設けた現像器，転写器等よりなる画像形成プロセス部１５は、前記潜像を現像してトナー像とし、該トナー像は給紙部１６（ａ），（ｂ），（ｃ），（ｄ）の何れかから排出され同期して給紙されるシート上に転写される。転写によってトナー像を保持したシートは、定着器１７によって定着したのち、排紙部１８より排紙される。なお両面複写モードのときは、定着器１７によって片面へのトナー像の定着を終えた片面複写済のシートは、両面複写装置１９へ搬送され、反転されたのち再び画像形成プロセス部１５においてシート裏面へのトナー像の転写が行われ、再度定着器１７を通過してシート裏面に付着したトナー像の定着がなされたのち、排紙部１８より排紙される。
【００１３】
図２は本発明の画像出力装置の制御体系を示すブロック図である。画像出力装置の作動は本発明の制御手段である画像出力全体制御部２１によって制御される。画像記録装置本体１０内部には数十ページ分の画像情報を格納可能な大容量メモリを有する画像情報記憶部２２を有していて、画像読み取り部１２で読み取り画像処理部１３で処理された原稿の画像情報や、接続された外部装置２４からの画像情報は、画像入力制御部２５を介して画像情報記憶部２２に格納することができる。画像読み取り部１２で読み取った画像情報や、画像情報記憶部２２に格納された画像情報は、画像出力全体制御部２１からの制御によって出力し、画像形成プロセス部１５によって画像形成がなされ、プリントアウトする。本発明の画像出力装置では設定部数の画像出力が完了した後も画像情報記憶部２２内の記憶情報を消去することなく、次の画像情報入力時には画像情報は先の記憶情報上にオーバーライトするよう画像出力全体制御部２１によって制御され、設定部数の画像情報が出力した後は画像情報を記憶部２２からの画像出力を禁止している。また本発明の画像出力装置には出力モード設定部２３が設けられて、先の禁止を解除して一旦出力した画像情報を再度出力する再出力モードに設定を可能としている。
【００１４】
図３は本発明の（ａ）で示した実施例のフローチャートを示している。かかる処理は画像出力全体制御部２１によって制御がなされて行われる。出力モード設定部２３で再出力モードがセットされているか否かのチェックがなされ（Ｓ１）、画像情報の再出力モードが設定されているときは画像読み取り部１２又は外部装置２４からの画像情報記憶部２２への新規画像の入力の格納を禁止し（Ｓ２Ａ）、画像情報の再出力の指示を待ち（Ｓ３Ａ）、指示を得て画像情報の再出力が行われる（Ｓ４Ａ）。再出力された画像情報は画像形成プロセス部１５で画像形成されてプリントアウトする。設定部数の再出力が完了したか否かのチェックがなされ（Ｓ５Ａ）、設定部数の再出力が完了したときは再出力モードの解除がなされ（Ｓ６Ａ）、画像情報記憶部２２からの画像出力を禁止する（Ｓ７Ａ）。
【００１５】
また出力モード設定部２３で再出力モードが設定されないときは（Ｓ１）、画像情報記憶部２２への新規画像入力の格納許可を行う（Ｓ２Ｂ）、画像読み取り部１２又は外部装置２４からの新規画像の入力がなされたか否かのチェックを行い（Ｓ３Ｂ）、画像情報が入力されたときは、画像情報記憶部２２にオーバーライトして新規画像の格納処理を行う（Ｓ４Ｂ）。格納された新規画像は画像出力され（Ｓ５Ｂ）、出力された画像情報は画像形成プロセス部１５で画像形成されてプリントアウトする。設定部数の出力完了したか否かのチェックがなされ（Ｓ６Ｂ）、設定部数の出力が完了したときはそれ以後の画像出力を禁止する。
【００１６】
次に本発明の（ｂ）で示した実施例を、図４のフローチャートによって説明する。出力モード設定部２３で再出力モードがセットされているか否かのチェックがなされ（Ｓ１）、画像情報の再出力モードが設定されているときは入力する新規画像情報の画像情報記憶部２２への格納を禁止する（Ｓ２Ｃ）。この格納が禁止された状態で、新規画像情報が入力されるか否かのチェックがなされ（Ｓ３Ｃ）、新規入力がないときは、画像情報の再出力の指示を待つこととなる（Ｓ４Ｄ）。また新規入力があったときは、画像情報記憶部２２へ格納しないで直接出力可能であるか否かのチェックがなされ（Ｓ４Ｃ）、不可のときは出力しないで「新規入力あるも出力不可能の状態にある」との警告表示が画像出力装置上部に設けた表示部になされる（Ｓ５Ｄ）。また画像情報記憶部２２へ格納しないで出力可能のときは、新規画像情報は出力され（Ｓ５Ｃ）、画像形成プロセス部１５で画像形成されてプリントアウトする。設定部数の出力が完了したか否かのチェックがなされ（Ｓ６Ｃ）、設定部数の出力が完了すると、画像情報の再出力指示を待つこととなる（Ｓ７Ｃ）。
【００１７】
また本発明の（Ｃ）で示した実施例を、図５のフローチャートによって説明する。出力モード設定部２３で再出力モードがセットされているか否かのチェックがなされ（Ｓ１）、画像情報の再出力モードが設定されているときは入力する新規画像情報の画像情報記憶部２２への格納を禁止する（Ｓ２Ｅ）。この新規画像情報の格納が禁止された状態で、画像情報の再出力の指示がなされたか否かのチェックがなされ（Ｓ３Ｅ）、一方出力モード設定部２３で再出力モードが設定されると設定後の時間カウントが開始され（Ｓ４Ｅ）、画像情報の再出力の指示がないときは、カウントされた時間が予め設定した再出力の設定時間内であるか否かのチェックがなされ（Ｓ５Ｅ）、設定時間内では再出力の指示が待たれるが、設定時間を経過すると再出力モードの解除がなされる。
【００１８】
以上本発明の（ａ），（ｂ），（ｃ）で示した実施例を図３，４，５のフローチャートによって説明したが、説明を容易にするために行ったもので、実際にはこれらのフローチャートは組み合わせることが可能であって、図３と図４のフローチャートを組み合わせ、図３と図５のフローチャートを組み合わせ、更に図３に図４と図５のフローチャートを組み合わせることが可能である。
【００１９】
【発明の効果】
本発明の内部にページ単位の画像情報を記憶可能とした画像出力装置で、再出力モードを設け、画像情報記憶部に格納された画像情報を、少なくとも次の画像情報についての記憶要求があるまで保持するようにしたので、設定部数のプリント完了後にも追加部数の出力が必要になったり、出力条件を変更して出力したい場合でも、再度画像情報記憶部に格納する必要がなくなり、生産性の低下を防止し、再格納処理による原稿の再搬送トラブルによる信頼性の低下を防止するようにした画像出力装置が提供されることとなった。
【図面の簡単な説明】
【図１】本発明の画像出力装置の１実施例を示す構成図。
【図２】本発明の制御体系を示すブロック図。
【図３】本発明の実施例（ａ）の制御を示すフローチャート図。
【図４】本発明の実施例（ｂ）の制御を示すフローチャート図。
【図５】本発明の実施例（ｃ）の制御を示すフローチャート図。
【符号の説明】
１０  画像記録装置本体
１２  読み取り部
１４  レーザ光学系（書き込み系）
１５  画像形成プロセス部
２１  画像出力全体制御部
２２  画像情報記憶部
２３  出力モード設定部
２４  外部装置
【図１】
0003582019.tif 000002
【図２】
0003582019.tif 000003
【図３】
0003582019.tif 000004
【図４】
0003582019.tif 000005
【図５】
0003582019.tif 000006